(57)【特許請求の範囲】
【請求項１】
複数の患者についての生体情報を、表示画面の表示領域を分割した複数の表示区域に個別に配置して１画面で同時に表示する表示手段と、
複数の患者についての患者情報を、シートの所定の印字領域を分割した複数の印字区域に個別に配置してシートに印字する印字手段と、
を有し、
前記表示手段及び前記印字手段は、一つの筐体に収容することで一体的に構成され、
前記印字手段は、表示区域への生体情報の縦列配置に応じて患者情報のみを印字区域に配置可能にする、生体情報処理装置。
【請求項２】
表示区域への生体情報の配置および印字区域への患者情報の配置を制御する制御手段をさらに有し、
前記制御手段は、各表示区域のサイズの拡縮に応じて、各印字区域のサイズを拡縮する、請求項１記載の生体情報処理装置。
【請求項３】
表示区域への生体情報の配置および印字区域への患者情報の配置を制御する制御手段をさらに有し、
前記制御手段は、表示区域の数の増減に応じて、印字区域の数を増減する、請求項１記載の生体情報処理装置。
【請求項４】
表示区域への生体情報の配置および印字区域への患者情報の配置を制御する制御手段をさらに有し、
前記制御手段は、各印字区域のサイズの拡縮に応じて、シートに印字する患者情報の内容を変更する、請求項１記載の生体情報処理装置。
【請求項５】
前記制御手段は、少なくとも患者の氏名を患者情報として印字する、請求項４記載の生体情報処理装置。
【請求項６】
前記制御手段は、各印字区域のサイズに応じて、病室もしくは病棟の番号もしくは名称、担当医師もしくは担当看護師の氏名、無線通信チャネルの番号、または似顔絵アイコンをさらに印字する、請求項５記載の生体情報処理装置。
【発明の詳細な説明】
【技術分野】
【０００１】
本発明は、生体情報処理装置に関する。
【背景技術】
【０００２】
セントラルモニタ装置は一般に、医療機関においてナースステーションに設置される生体情報処理装置である。この装置は、集中治療室や病室などに居る各患者のベッドサイドに設置されたベッドサイドモニタ装置から各患者の生体情報（例えば、心電図、血圧、動脈血酸素飽和度など）を受信してそれを画面に表示することができる（例えば、特許文献１参照）。
【０００３】
セントラルモニタ装置は、集中治療室など、ナースステーションから離れた場所に居る複数患者の容態を同時にモニタリングするために、各ベッドサイドモニタ装置から受信した生体情報を１画面で同時に表示することができる。また、その表示モードは、同時表示する患者の人数などに応じて変更することができる。図１には、一例として６床２波形表示モードが示されている。このモードでは、１画面の表示領域を分割した６個（６人分）の表示区域に、患者ごとに２つの波形を表示することができる。
【０００４】
図１の例では、表示中の生体情報がどの患者のものかを一目見て判別できるように、各患者の波形表示領域に患者の氏名などの患者情報が表示される。
【先行技術文献】
【特許文献】
【０００５】
【特許文献１】特開２００５−１２４９０３号公報
【発明の概要】
【発明が解決しようとする課題】
【０００６】
しかしながら、前述したように各患者の波形表示領域に患者情報を表示する手法は、波形と文字が重なって、文字が波形を読む妨げとなることもあり、あまり積極的に採用されている手法ではない。
【０００７】
実際には、短冊状に切った粘着テープに患者情報をペンで記入することにより簡易な患者情報表示テープを作製し、専用の患者銘板を用いてまたは直接的に患者情報表示テープを画面周囲の枠体に貼り付けるという手作業による手法を採用することが多い。この手法では、波形と文字が重ならない。また、患者が部屋やベッドを移動してもテープの位置を貼り替えるだけで対処し得るため、モニタ装置の操作に比較的不慣れな人にとっても難なくできる手法である。
【０００８】
ところが、上記手作業による手法では、テープに手書きした患者情報が薄くなったり消えたりすることがある。あるいは、テープの粘着性が低下して、新たなテープへの交換が必要となることもある。このような場合には、テープに患者情報を書き直す必要性が生じる。そもそも、患者の入退床が生じると、その都度患者情報の手書き作業が必要となる。したがって、医療従事者にとって煩わしいという問題があった。
【０００９】
本発明は、かかる点に鑑みてなされたもので、生体情報の表示の妨げとならない患者情報の表示を、手間をかけることなく実現することができる生体情報処理装置を提供することを目的とする。
【課題を解決するための手段】
【００１０】
本発明の生体情報処理装置は、複数の患者についての生体情報を、表示画面の表示領域を分割した複数の表示区域に個別に配置して１画面で同時に表示する表示手段と、複数の患者についての患者情報を、シートの所定の印字領域を分割した複数の印字区域に個別に配置してシートに印字する印字手段と、を有し、前記表示手段及び前記印字手段は、一つの筐体に収容することで一体的に構成され、前記印字手段は、表示区域への生体情報の縦列配置に応じて患者情報のみを印字区域に配置可能にする。
【発明の効果】
【００１１】
本発明によれば、生体情報の表示の妨げとならない患者情報の表示を、手間をかけることなく実現することができる。
【図面の簡単な説明】
【００１２】
【図１】従来の患者情報表示方法を説明するための図
【図２】本発明の一実施の形態に係るセントラルモニタ装置の構成を示すブロック図
【図３】本発明の一実施の形態に係る患者情報表示シートの作製方法および使用方法を説明するための図
【図４】患者銘板の使用例を説明するための図
【図５】患者銘板の使用方法を説明するための図
【図６】本発明の一実施の形態に係る患者情報表示シートの印字フォーマットの第１の例を示す図
【図７】本発明の一実施の形態に係る患者情報表示シートの印字フォーマットの第２の例を示す図
【図８】本発明の一実施の形態に係る患者情報表示シートの印字フォーマットの第３の例を示す図
【図９】本発明の一実施の形態に係る患者情報表示シートの印字フォーマットの第４の例を示す図
【図１０】本発明の一実施の形態に係る患者情報表示シートの印字フォーマットの第５の例を示す図
【図１１】本発明の一実施の形態に係る患者情報表示シートの印字フォーマットの第６の例を示す図
【発明を実施するための形態】
【００１３】
以下、本発明の実施の形態について、図面を用いて詳細に説明する。
【００１４】
図２は、本発明の一実施の形態に係る生体情報処理装置としてのセントラルモニタ装置の構成を示すブロック図である。
【００１５】
図２に示すセントラルモニタ装置１００は、コネクタ部１１０、無線受信部１２０、情報入力部１３０、制御部１４０、表示部１５０、印字部１６０、記憶部１７０および音声出力部１８０を有する。
【００１６】
コネクタ部１１０は、各種の生体情報計測機器や他の生体情報処理装置（例えば、ベッドサイドに設置されているベッドサイドモニタ装置）などの外部機器との通信を可能にするケーブルのような接続手段を挿抜可能なコネクタを有する。コネクタ部１１０は、ネットワーク用コネクタ（例えば、ＬＡＮ接続コネクタ）、シリアルコネクタ、ＵＳＢコネクタおよび各種外部機器専用の接続コネクタのうち、少なくとも１つを含むことができる。コネクタ部１１０は、接続手段を介して接続されている外部機器から患者の生体情報を受信する。受信した生体情報は制御部１４０に供給される。これにより、セントラルモニタ装置１００は、外部機器から患者についての生体情報をリアルタイムに取得することができる。
【００１７】
無線受信部１２０は、無線により生体情報を送信し得る外部機器（例えば、テレメータ装置）との無線通信を可能にするアンテナおよび無線信号処理回路を有する。無線受信部１２０は、無線通信チャネルを介して外部機器から送信された患者の生体情報を受信する。受信した生体情報は制御部１４０に供給される。これにより、セントラルモニタ装置１００は、外部機器から各患者についての生体情報を無線でもリアルタイムに取得することができる。
【００１８】
情報入力部１３０は、患者情報の入力を受け付ける機能を有する。情報入力部１３０は、ユーザ（例えば、看護師）が患者情報を手入力するためのキーボードやマウスなどのような操作手段であり、あるいは磁気カードに記録された患者情報を読み取るカードリーダである。情報入力部１３０は、受け付けた患者情報を制御部１４０に供給する。これにより、セントラルモニタ装置１００は患者情報を取得することができる。
【００１９】
制御部１４０は、セントラルモニタ装置１００内の各部における動作を制御するためのプログラムを記憶する記憶媒体とそのプログラムを実行する演算処理装置とを有する。
【００２０】
例えば、制御部１４０は、情報入力部１３０から供給された各患者の患者情報を記憶部１７０に格納して、患者情報を管理する。管理する患者情報には、主として患者の識別番号、氏名、性別および年齢が含まれるほか、病室、フロアまたは病棟の名称または番号が含まれる。補足的に、無線通信チャネルの番号を含むこともできる。さらに、患者の性別および年齢などに基づく似顔絵アイコン情報を含むこともできる。さらに、患者を担当する医師および看護師の氏名を含むこともできる。
【００２１】
また、制御部１４０は、コネクタ部１１０および無線受信部１２０から順次供給される各患者についての生体情報をリアルタイムに表示部１５０に表示させるための制御を行う。この場合、制御部１４０は、複数患者についての生体情報が、予め指定されている表示モード（例えば、６床２波形表示モード）に従って配置されるように、生体情報から画像信号を生成する。生成した画像信号は表示部１５０に供給される。なお、生体情報の表示は、波形および数字のうち少なくとも一方による表示を含む。
【００２２】
また、制御部１４０は、コネクタ部１１０および無線受信部１２０から順次供給される各患者についての生体情報を、患者情報に対応付けて記憶部１７０に格納して、生体情報を管理する。
【００２３】
また、制御部１４０は、コネクタ部１１０および無線受信部１２０から順次供給される各患者の生体情報について、閾値判定などの分析を行うことにより、患者の容態に異常が生じていないかを判定する。異常が生じている場合には、画面を通じて異常発生をユーザに通知するために画像信号を処理したり、音を通じて異常発生をユーザに通知するためにアラーム音を音声出力部１８０から出力させたりする。
【００２４】
さらに、制御部１４０は、ユーザが所定の操作を行ったときに、記憶部１７０に格納されている特定患者についての生体情報を読み出して、その生体情報から画像信号を生成し、生成した画像信号を表示部１５０に供給することもできる。
【００２５】
また、制御部１４０は、ユーザが所定の操作を行ったときに、記憶部１７０に格納されている患者情報を印字用シートに印字することにより患者情報表示シートを作製するための制御を行う。患者情報表示シートは、予め指定された表示モードに対応する印字フォーマットを選択し、選択した印字フォーマットに従って患者情報が配置されるように、患者情報から印字信号を生成する。生成した印字信号は印字部１６０に供給される。患者情報表示シートの作製方法およびその使用方法については、後で詳しく説明する。
【００２６】
表示部１５０は、例えば液晶表示装置のような表示装置であり、制御部１４０から順次供給される画像信号に基づいて生体情報を画面に表示する。
【００２７】
印字部１６０は、例えば、感熱式、インクジェット式または電子写真式など、任意の方式のプリンタであり、制御部１４０から供給された印字信号に基づいて患者情報を印字用シートに印字する。印字部１６０は、所定の操作に従って指定された生体情報の印字を行うこともできる。
【００２８】
記憶部１７０は、例えば、半導体メモリ装置またはハードディスクなどの記憶装置であり、制御部１４０から供給された各種情報を記憶する。
【００２９】
音声出力部１８０は、スピーカであり、アラーム音などの出力を行う。
【００３０】
上記構成を有するセントラルモニタ装置１００は、上記すべての機能部を１つの筐体に収容した一体型構成を採用してもよいし、表示部１５０または印字部１６０をそれ以外の機能部と別々の筐体に収容して接続手段を介して接続した独立型構成を採用してもよい。
【００３１】
次いで、本実施の形態に係る患者情報表示シートの作製方法および使用方法について、図３を用いて説明する。図３は、一体型構成のセントラルモニタ装置１００による患者情報表示シートの作製方法および使用方法の一例を示す図である。
【００３２】
表示部１５０の表示画面１５１には、複数患者についての生体情報が、同時モニタリングのために１画面に配置されて表示される。図３に示す例では、表示画面１５１のほぼ全域が表示領域となっている。表示領域は、モニタリング対象の患者の人数などに応じて予め指定されている表示モードに従って表示区域１５２に分割され、個々の表示区域は、個々の患者についての生体情報の表示のために割り当てられる。表示区域１５２は、波形表示部１５３と数字表示部１５４とを有し、波形表示部１５３においては波形によって生体情報が表現され、数字表示部１５４においては数字によって生体情報が表現される。図３に示す例では、１６床１波形モードが予め指定されているため、表示領域の分割によって１６個の表示区域１５２が形成されており、最大１６人分の生体情報を同時に表示することができる。
【００３３】
セントラルモニタ装置１００本体内のペーパーマガジン（図示せず）に予め載置されている印字用シート１６１は、ユーザが所定の操作により患者情報の印字を指示すると、セントラルモニタ装置１００本体内の給紙機構（図示せず）により印字部１６０に供給される。そして、印字部１６０は、予め指定されている表示モードに応じた印字フォーマットに従って、モニタリング対象の患者についての患者情報を印字用シート１６１に印字する。患者情報が印字された印字用シート１６１を切り取ると、患者情報表示シート１６２の作製が完了する。
【００３４】
印字用シート１６１は、幅数センチで非常に長尺のシートであり、任意の長さに切り取ることができる。また、印字用シート１６１は、そのほぼ全域が印字領域となっているため、印字用シート１６１には任意のフォーマットで患者情報を印字することができる。
【００３５】
図３に示す例では、印字フォーマットは、表示区域１５２の縦列配置に合わせられている。具体的には、表示画面１５１においては、１６人分の表示区域１５２が２列に分けられ、各列において８人分の表示区域１５２が縦列配置されている。これに合わせて、印字フォーマットは、少なくとも８人分の患者情報を縦列配置して印字できるように、表示画面１５１の縦サイズとほぼ同じ長さの印字領域を８個の印字区域１６３に分割したフォーマットとなっている。
【００３６】
作製した患者情報表示シート１６２は、表示部１５０の表示画面１５１を囲む枠体１５５に、表示画面１５１の左右に貼付することができる。表示区域の縦配置に合わせた印字フォーマットにより、各印字区域１６３の縦サイズが表示区域の縦サイズに一致しているため、縦列配置された複数の患者のそれぞれについて、ある患者の患者情報とその患者の生体情報とを横に並べることができる。そして、各生体情報がどの患者についてのものであるかを一目見て判別することができる。
【００３７】
なお、図３には、患者情報表示シート１６２が枠体１５５に直接貼付する使用方法が示されているが、他の方法も可能である。例えば、図４に示すように、表示部１５０の枠体１５５に患者情報シートを装着するために、患者銘板入れ１５６および患者銘板１５７を用いてもよい。これらを用いる方法の場合には、図５に示すように、表示部１５０の枠体１５５の左右部分に予め患者銘板入れ１５６を固着しておき、患者情報表示シート１６２を患者銘板１５７に貼付して、その患者銘板１５７を患者銘板入れ１５６に嵌入する。これにより、図３に示す場合と同様の作用効果を実現することができる。
【００３８】
患者情報表示シート１６２の印字フォーマットは、生体情報の表示モードに応じて様々なフォーマットを採用することができる。図６〜図１１は、表示区域が縦列配置される表示モードである場合に採用し得る印字フォーマットをそれぞれ示す図である。
【００３９】
図６に示す第１の例では、患者情報表示シート１６２において、表示画面の縦サイズとほぼ同じ長さの印字領域１６４が４個（４人分）の印字区域１６３に分割されている。そして、１人分の印字区域１６３において、１人の患者についての患者情報として、患者の病室番号、患者の似顔絵アイコン、患者が使用するテレメータ装置の無線通信チャネル番号、ならびに患者氏名の漢字表記および片仮名表記が印字されている。
【００４０】
図６に示す印字フォーマットは、４個の表示区域が縦列配置される表示モードで生体情報が表示される場合に、制御部１４０（図２）が自動的に選択するか、ユーザが所定の操作を介して制御部１４０に選択させる。
【００４１】
図７に示す第２の例では、患者情報表示シート１６２の印字領域１６４が３個（３人分）の印字区域１６３に分割されている。そして、１人分の印字区域１６３において、１人の患者についての患者情報として、患者の病室番号、患者の似顔絵アイコン、患者が使用するテレメータ装置の無線通信チャネル番号、ならびに患者氏名の漢字表記および片仮名表記が印字されている。
【００４２】
図７に示す印字フォーマットは、３個の表示区域が縦列配置される表示モードで生体情報が表示される場合に、制御部１４０（図２）が自動的に選択するか、ユーザが所定の操作を介して制御部１４０に選択させる。
【００４３】
図８に示す第３の例では、患者情報表示シート１６２の印字領域１６４が２個（２人分）の印字区域１６３に分割されている。そして、１人分の印字区域１６３において、１人の患者についての患者情報が印字されている。具体的には、患者の病室番号、患者の似顔絵アイコン、患者が使用するテレメータ装置の無線通信チャネル番号、患者氏名の漢字表記および片仮名表記、ならびに担当医師名または担当看護師名が含まれる。
【００４４】
図８に示す印字フォーマットは、２個の表示区域が縦列配置される表示モードで生体情報が表示される場合に、制御部１４０（図２）が自動的に選択するか、ユーザが所定の操作を介して制御部１４０に選択させる。
【００４５】
図９に示す第４の例では、患者情報表示シート１６２の印字領域１６４が８個（８人分）の印字区域１６３に分割されている。そして、１人分の印字区域１６３において、１人分の患者についての患者情報として、患者の病室番号、フロア番号または病棟名、患者の似顔絵アイコン、および患者の姓が印字されている。
【００４６】
図９に示す印字フォーマットは、８個の表示区域が縦列配置される表示モードで生体情報が表示される場合に、制御部１４０（図２）が自動的に選択するか、ユーザが所定の操作を介して制御部１４０に選択させる。
【００４７】
図１０に示す第５の例では、患者情報表示シート１６２の印字領域１６４が６個（６人分）の印字区域１６３に分割されている。そして、１人分の印字区域１６３において、１人の患者についての患者情報として、患者の病室番号、患者の似顔絵アイコン、および患者の姓が印字されている。
【００４８】
図１０に示す印字フォーマットは、６個の表示区域が縦列配置される表示モードで生体情報が表示される場合に、制御部１４０（図２）が自動的に選択するか、ユーザが所定の操作を介して制御部１４０に選択させる。
【００４９】
図１１に示す第６の例では、患者情報表示シート１６２の印字領域１６４が６個（６人分）の印字区域１６３に分割されている。そして、１人分の印字区域１６３において、１人分の患者についての患者情報として、患者の病室番号、フロア番号または病棟名、患者の似顔絵アイコン、および患者の姓が印字されている。
【００５０】
図１１の印字フォーマットは、６個の表示区域が縦列配置される表示モードで生体情報が表示される場合に、制御部１４０（図２）が自動的に選択するか、ユーザが所定の操作を介して制御部１４０に選択させる。
【００５１】
図１１の患者情報表示シートは、図１０の患者情報表示シートと比べて、印字フォーマットについては基本的に同様であるが、折り畳み式の印字用シートから作製されている点で相違している。つまり、図１１の患者情報表示シートには、患者情報表示シート１６２に一定間隔でミシン目１６５（図中の破線部分）が形成されている。この場合、各印字区域１６３がミシン目を避けて形成されるため、患者情報として印字される文字などがミシン目に重なることを避けることができる。
【００５２】
図６〜図１１を用いて説明した６つの例から分かるように、セントラルモニタ装置１００において制御部１４０（図２）は、指定されている表示モードにおける表示区域への生体情報の配置に応じて印字区域への患者情報の配置を可変に設定することができる。さらに、決定した印字区域への患者情報の配置に応じて、印字区域に印字する患者情報の内容を可変に設定することができる。
【００５３】
すなわち、制御部１４０は、表示モードの変更に伴って各表示区域のサイズを拡大あるいは縮小させた場合には、それに合わせて各印字区域のサイズを拡大あるいは縮小させることができる。また、制御部１４０は、一列に配置される表示区域の数を表示モードの変更に伴って増加あるいは減少させた場合には、それに合わせて、所定長における印字区域の個数を増加あるいは減少させることができる。これにより、任意の表示モードに対応した患者情報表示シートを作製することができる。
【００５４】
また、制御部１４０は、各表示区域のサイズを拡大あるいは縮小させた場合には、それに合わせて各印字区域に印字する患者情報の内容を増加あるいは減少させることができる。例えば、各表示区域のサイズを拡大させた場合には患者情報の内容を増やすことができ、各表示区域のサイズを縮小させた場合には患者情報の内容を減らすことができる。これにより、どの表示モードに対しても見やすい大きさの文字で患者情報を示すことができる。
【００５５】
印字区域が縮小されたことにより患者情報の内容が減らされる場合でも、印字される患者情報には、少なくとも患者の姓が常時含まれ、好ましくは病室番号も常時含まれる。これにより、少ない情報でも患者本人を特定することができる。印字区域が拡大されたことにより患者情報の内容追加が可能な場合に、その拡大幅に応じて無線通信チャネル番号などの補足的な情報が追加される。これにより、患者情報をより詳しく示す患者情報表示シートを、ユーザが手間をかけることなく作製することができる。
【００５６】
以上のように、本実施の形態によれば、表示区域への生体情報の配置に応じて患者情報を印字区域に配置して印字シートに配置することによって、患者情報表示シートを作製する。このため、従来の患者情報表示テープと異なり、煩わしい手書き作業が一切不要である。よって、生体情報の表示の妨げとならない患者情報の表示を、手間を掛けることなく実現することができる。
【００５７】
以上、本発明の実施の形態について説明した。なお、上記実施の形態は一例であり、種々変更して実施することができる。
【００５８】
例えば、本実施の形態では、生体情報が表示画面に表示されているときに患者情報が印字されているが、生体情報が表示画面に表示されていないときでも患者情報を印字することができる。
【００５９】
また、例えば、本実施の形態では、縦列配置される全ての患者情報が同時に印字されているが、患者情報を個別に印字することもできる。
【符号の説明】
【００６０】
１００  セントラルモニタ装置
１１０  コネクタ部
１２０  無線受信部
１３０  情報入力部
１４０  制御部
１５０  表示部
１５１  表示画面
１５２  表示区域
１５３  波形表示部
１５４  数字表示部
１５５  枠体
１５６  患者銘板入れ
１５７  患者銘板
１６０  印字部
１６１  印字用シート
１６２  患者情報表示シート
１６３  印字区域
１６４  印字領域
１６５  ミシン目
１７０  記憶部
１８０  音声出力部
【図１】
0005437051.tif 000002
【図２】
0005437051.tif 000003
【図３】
0005437051.tif 000004
【図４】
0005437051.tif 000005
【図５】
0005437051.tif 000006
【図６】
0005437051.tif 000007
【図７】
0005437051.tif 000008
【図８】
0005437051.tif 000009
【図９】
0005437051.tif 000010
【図１０】
0005437051.tif 000011
【図１１】
0005437051.tif 000012